(57)【要約】【課題】輝度の均一性が高く、輝度ムラが改善され、コントラストの高い良好な映像を表示できる反射スクリーン、及び、これを備える映像表示システムを提供する。【解決手段】反射スクリーン１０は、サーキュラーフレネルレンズ形状を背面側に有するレンズ層１１と、反射層１２とを備え、反射スクリーン１０をスクリーン面の法線方向から見たとき、スクリーン面に平行な平面Ｍ上において、映像源２０の映像光の投射口を点Ａ、反射スクリーン１０の画面の幾何学的中心を点Ｃ、点Ａ及び点Ｃを通る直線を直線Ｔ、画面の点Ａ側の辺上に直線Ｔから下ろした垂線と直線Ｔとの交点を点Ｄとすると、この平面Ｍ上において、サーキュラーフレネルレンズ形状の光学的中心となる点Ｂは、直線Ｔ上に位置し、直線Ｔ上において、点Ｃ及び点Ｄ間の寸法Ｓ１、点Ｃ及び点Ｂ間の寸法Ｓ２、点Ｃ及び点Ａ間の寸法Ｓ３は、Ｓ１＜Ｓ２＜Ｓ３という関係を満たすものとした。【選択図】図３
2012252057.tif 000002
【特許請求の範囲】
【請求項１】
映像源から投射された映像光を反射して観察可能に表示する反射スクリーンであって、
レンズ面と非レンズ面とを有し、背面側に凸となる単位レンズが該反射スクリーンのスクリーン面に沿って複数配列されたサーキュラーフレネルレンズ形状を背面側に有するレンズ層と、
少なくとも前記単位レンズの前記レンズ面に形成され、光を反射する反射層と、
を備え、
この反射スクリーンをスクリーン面の法線方向から見たとき、
スクリーン面に平行な平面上において、前記映像源の映像光の投射口となる点が位置する点を点Ａ、この反射スクリーンの画面の幾何学的中心となる点が位置する点を点Ｃ、前記点Ａ及び前記点Ｃを通る直線を直線Ｔ、前記画面の前記点Ａ側の辺上に前記直線Ｔから下ろした垂線と前記直線Ｔとの交点を点Ｄとすると、
前記平面上において、前記サーキュラーフレネルレンズ形状の光学的中心となる点が位置する点Ｂは、前記直線Ｔ上に位置し、
前記直線Ｔ上において、前記点Ｃ及び前記点Ｄ間の寸法Ｓ１、前記点Ｃ及び前記点Ｂ間の寸法Ｓ２、前記点Ｃ及び前記点Ａ間の寸法Ｓ３は、
Ｓ１＜Ｓ２＜Ｓ３
という関係を満たすこと、
を特徴とする反射スクリーン。
【請求項２】
請求項１に記載の反射スクリーンにおいて、
前記単位レンズは、前記非レンズ面の少なくとも一部に光を吸収する光吸収層が形成されていること、
を特徴とする反射スクリーン。
【請求項３】
請求項１又は請求項２に記載の反射スクリーンと、
前記反射スクリーンに対して映像光を投射する映像源と、
を備える映像表示システムであって、
前記映像源は、短焦点型プロジェクタであること、
を特徴とする映像表示システム。
【請求項４】
請求項３に記載の映像表示システムにおいて、
前記反射スクリーンは、前記映像源から投影された映像光を、前記画面の幾何学的な中心となる点を通りスクリーン面に直交する直線上に位置する集光点に向けて反射し、
前記集光点は、前記反射スクリーンの映像源側表面から映像源側に２〜２０ｍとなる位置にあること、
を特徴とする映像表示システム。
【発明の詳細な説明】
【技術分野】
【０００１】
本発明は、反射スクリーン、及び、これを備える映像表示システムに関するものである。
【背景技術】
【０００２】
反射スクリーンに映像を投射する映像源として、至近距離から比較的大きな入射角度で映像光を投写して大画面表示を実現する短焦点型の映像投射装置（プロジェクタ）等が広く利用されている。このような短焦点型の映像投射装置は、反射スクリーンに対して、上方又は下方から従来の映像源よりも大きな入射角度で投射することができ、反射スクリーンを用いた映像表示システムの省スペース化等に寄与している。
このような短焦点型の映像投射装置によって投射された映像光を良好に表示するために、単位レンズが複数配列されて形成されたリニアフレネルレンズ形状やサーキュラーフレネルレンズ形状を有するレンズ層の表面に反射層を形成した反射スクリーン等が様々に開発されている（例えば、特許文献１，２）。
また、反射スクリーンを用いた映像表示システムとして、明室環境下でもコントラスト等が良好な映像を表示可能である映像表示システムへの需要が高まっている。
【先行技術文献】
【特許文献】
【０００３】
【特許文献１】特開平８−２９８７５号公報
【特許文献２】特開２００８−７６５２３号公報
【発明の概要】
【発明が解決しようとする課題】
【０００４】
上述のようなリニアフレネルレンズ形状を有する反射スクリーンでは、単位レンズの配列方向における光線制御作用しか有していないため、プロジェクタの短焦点化及び反射スクリーンの大画面化が進むにつれて、画面の輝度ムラが顕著になっている。例えば、短焦点型のプロジェクタを反射スクリーンの下方側に配置し、単位レンズが画面上下方向に配列されている場合、反射スクリーンの画面左右両端（特に、画面下側の左右両端部）が暗く観察される場合がある。
これを改善するために、サーキュラーフレネルレンズ形状を有するレンズ層を用いる反射スクリーンが考えられる。しかし、サーキュラーフレネルレンズ形状を有するレンズ層を単に用いただけでは、上述のような輝度ムラは十分に改善されていない。
【０００５】
前述の特許文献１，２には、短焦点型のプロジェクタを使用する反射スクリーンや映像表示システムが記載されているが、上述のような輝度ムラの改善に関しては開示されていない。
また、明室環境下でも明るくコントラストの高い良好な映像を表示でき、画面の輝度の均一性が高い反射スクリーンとすることや、そのような反射スクリーンを安価に作成することは、常々求められることである。
【０００６】
本発明の課題は、輝度の均一性が高く、輝度ムラが改善され、コントラストの高い良好な映像を表示できる反射スクリーン、及び、これを備える映像表示システムを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、映像源から投射された映像光を反射して観察可能に表示する反射スクリーンであって、レンズ面（１１１ａ）と非レンズ面（１１１ｂ）とを有し、背面側に凸となる単位レンズ（１１１）が該反射スクリーンのスクリーン面に沿って複数配列されたサーキュラーフレネルレンズ形状を背面側に有するレンズ層（１１）と、少なくとも前記単位レンズの前記レンズ面に形成され、光を反射する反射層（１２）と、を備え、この反射スクリーンをスクリーン面の法線方向から見たとき、スクリーン面に平行な平面（Ｍ）上において、前記映像源の映像光の投射口となる点が位置する点を点Ａ、この反射スクリーンの画面の幾何学的中心となる点が位置する点を点Ｃ、前記点Ａ及び前記点Ｃを通る直線を直線Ｔ、前記画面の前記点Ａ側の辺上に前記直線Ｔから下ろした垂線と前記直線Ｔとの交点を点Ｄとすると、前記平面上において、前記サーキュラーフレネルレンズ形状の光学的中心となる点が位置する点Ｂは、前記直線Ｔ上に位置し、前記直線Ｔ上において、前記点Ｃ及び前記点Ｄ間の寸法Ｓ１、前記点Ｃ及び前記点Ｂ間の寸法Ｓ２、前記点Ｃ及び前記点Ａ間の寸法Ｓ３は、Ｓ１＜Ｓ２＜Ｓ３という関係を満たすこと、を特徴とする反射スクリーン（１０）である。
請求項２の発明は、請求項１に記載の反射スクリーンにおいて、前記単位レンズ（１１１）は、前記非レンズ面（１１１ｂ）の少なくとも一部に光を吸収する光吸収層が形成されていること、を特徴とする反射スクリーンである。
請求項３の発明は、請求項１又は請求項２に記載の反射スクリーン（１０）と、前記反射スクリーンに対して映像光を投射する映像源（２０）と、を備える映像表示システム（１）であって、前記映像源は、短焦点型プロジェクタであること、を特徴とする映像表示システムである。
請求項４の発明は、請求項３に記載の映像表示システムにおいて、前記反射スクリーン（１０）は、前記映像源（２０）から投影された映像光を、前記画面の幾何学的な中心となる点を通りスクリーン面に直交する直線上に位置する集光点（Ｆ）に向けて反射し、前記集光点は、前記反射スクリーンの映像源側表面から映像源側に２〜２０ｍとなる位置にあること、を特徴とする映像表示システム（１）である。
【発明の効果】
【０００８】
本発明によれば、以下の効果を奏することができる。
（１）反射スクリーンは、サーキュラーフレネルレンズ形状を背面側に有するレンズ層と、少なくとも単位レンズのレンズ面に形成され、光を反射する反射層とを備え、この反射スクリーンをスクリーン面の法線方向から見たとき、スクリーン面に平行な平面上において、映像源の映像光の投射口となる点が位置する点を点Ａ、この反射スクリーンの画面の幾何学的中心となる点が位置する点を点Ｃ、点Ａ及び点Ｃを通る直線を直線Ｔ、画面の点Ａ側の辺上に直線Ｔから下ろした垂線と直線Ｔとの交点を点Ｄとすると、この平面上において、サーキュラーフレネルレンズ形状の光学的中心となる点が位置する点Ｂは、直線Ｔ上に位置し、直線Ｔ上において、点Ｃ及び点Ｄ間の寸法Ｓ１、点Ｃ及び点Ｂ間の寸法Ｓ２、点Ｃ及び点Ａ間の寸法Ｓ３は、Ｓ１＜Ｓ２＜Ｓ３という関係を満たす。従って、輝度ムラが改善され、画面内の輝度の均一性が高く、明室環境下であってもコントラストの高い良好な映像を表示できる。
【０００９】
（２）単位レンズは、非レンズ面の少なくとも一部に光を吸収する光吸収層が形成されているので、不要な外光や迷光を吸収でき、コントラスト向上効果を高めることができる。
【００１０】
（３）映像表示システムは、反射スクリーンと、反射スクリーンに対して映像光を投射する映像源とを備えるので、輝度ムラが改善され、画面内の輝度の均一性が高く、明室環境下であってもコントラストの高い良好な映像を表示できる。
また、映像源は、短焦点型プロジェクタであるので、反射スクリーンの至近から大きな入射角度で映像光を投射することができ、映像表示システムの省スペース化を図ることができる。
【００１１】
（４）反射スクリーンは、映像源から投影された映像光を、画面の幾何学的な中心となる点を通りスクリーン面に直交する直線上に位置する集光点に向けて反射し、集光点は、反射スクリーンの映像源側表面から映像源側に２〜２０ｍとなる位置にあるので、集光点近傍に位置する観察者に対して、明るく、輝度ムラの低減された良好な映像を表示できる。
【図面の簡単な説明】
【００１２】
【図１】実施形態の映像表示システム１を示す図である。
【図２】実施形態の反射スクリーン１０の層構成を示す図である。
【図３】実施形態の反射スクリーン１０及び映像表示システム１の各部の位置を説明する図である。
【図４】実施例１及び比較例１〜３の反射スクリーンの相対輝度について説明する図である。
【図５】実施例１及び比較例１〜３の反射スクリーンの画面下端における単位レンズ１１１の角度αの変化の様子を示している。
【図６】サーキュラーフレネルレンズ形状を形成する成形型の最大切削半径を説明する図である。
【発明を実施するための形態】
【００１３】
以下、図面等を参照して、本発明の実施形態について説明する。
なお、図１を含め、以下に示す各図は、模式的に示した図であり、各部の大きさ、形状は、理解を容易にするために、適宜誇張している。従って、各光線の入射角度等に関して、実際の角度とは異なる場合がある。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。例えば、透明シートは、透明フィルムとしてもよいし、透明板としてもよい。
さらに、本明細書中に記載する各部材の寸法等の数値及び材料名等は、実施形態としての一例であり、これに限定されるものではなく、適宜選択して使用してよい。
【００１４】
（実施形態）
図１は、本実施形態の映像表示システム１を示す図である。図１（ａ）は、映像表示システム１の斜視図であり、図１（ｂ）は、映像表示システム１を側面から見た様子を示している。
映像表示システム１は、反射スクリーン１０、映像源２０等を有している。本実施形態では、反射スクリーン１０が映像源２０から投影された映像光Ｌを反射して、その画面上に映像を表示する一般的な映像表示システムを説明するが、これに限らず、映像表示システム１は、例えば、映像源２０から投射された映像光を反射して反射スクリーン上に映像を表示するフロントプロジェクションテレビシステム等としてもよいし、反射スクリーン１０と映像源２０と反射スクリーン１０の画面上の位置を検出する位置検出部やパーソナルコンピュータ等を備えたインタラクティブボードシステムとしてもよい。
【００１５】
映像源２０は、映像光Ｌを反射スクリーンへ投影する映像投射装置であり、短焦点型の汎用のプロジェクタ等である。
この映像源２０は、使用状態において、反射スクリーン１０の画面を法線方向から見た場合に、反射スクリーンの画面左右方向において中央であって、反射スクリーン１０の画面よりも下方側に位置している。そして、映像源２０は、反射スクリーン１０の画面に平行な面から画面に直交する方向における距離が、従来の汎用プロジェクタに比べて大幅に近い位置から映像光Ｌを投影でき、従来の汎用プロジェクタに比べて反射スクリーンまでの投射距離が短く、その映像光の反射スクリーンに対する入射角度も大きい。
外光源Ｇは、室内の天井等に設けられた室内照明である。
【００１６】
反射スクリーン１０は、映像源２０が投射した映像光Ｌを観察者Ｏ側へ向けて反射し、その画面に映像を表示する。使用状態において、この反射スクリーン１０が映像を表示する画面（観察面）は平面状であり、観察者Ｏ側から見て、その観察面は、長辺方向が画面左右方向となる略矩形状である。なお、以下の説明中において、画面上下方向、画面左右方向とは、特に断りが無い場合、この反射スクリーン１０の使用状態における画面上下方向（鉛直方向）、画面左右方向（水平方向）であるとする。
反射スクリーン１０は、図１に示すように、その背面側に、平板状の支持板５０が、粘着材等からなる不図示の接合層を介して設けられており、この支持板５０により、その平面性を維持している。本実施形態の支持板５０は、光透過性を有していないが、これに限らず、例えば、半透明のもの等としてもよい。本実施形態の映像表示システム１では、この支持板５０が所定の固定部材により壁面に取り付けられている。固定部材は、適宜選択できる。
【００１７】
反射スクリーン１０は、８０インチや１００インチ等の大きな画面（観察面）を有している。本実施形態の反射スクリーン１０は、例えば、画面のサイズが対角８０インチサイズ（１７７１×９９６ｍｍ）である。
また、反射スクリーン１０は、図１（ｂ）に示すように、映像を表示する画面の幾何学的な中心となる点１０ａを通り、反射スクリーン１０のスクリーン面（観察面）に直交する直線Ｈの映像源側（観察者側）であって、反射スクリーン１０の映像源側表面（観察面）から２〜２０ｍの位置に位置する集光点Ｆに集光するように映像光Ｌを反射する。ここで、スクリーン面とは、この反射スクリーン１０において、スクリーン全体として見たときの反射スクリーン１０の平面方向となる面を示すものであり、本明細書中、及び、特許請求の範囲においても同一の定義として用いている。この反射スクリーン１０のスクリーン面は、反射スクリーン１０の画面（観察面）に平行である。
本実施形態の反射スクリーン１０では、集光点Ｆは、直線Ｈの映像源２０側であって反射スクリーン１０の映像源側表面から３ｍの位置にある。本実施形態の反射スクリーン１０は、この集光点Ｆ及びその近傍に、観察者Ｏが位置することを想定して作製されている。
なお、反射スクリーン１０の映像源側表面から集光点Ｆまでの距離は、反射スクリーン１０の映像源側表面から観察者Ｏが位置すると想定される位置までの距離（本実施形態では３ｍ）よりも長くなる形態とする方が、画面左右方向において正面方向に対してやや斜め方向から観察した場合にも輝度分布の均一性が向上する。
【００１８】
図２は、本実施形態の反射スクリーン１０の層構成を示す図である。図２（ａ）では、反射スクリーン１０のスクリーン面に直交し、使用状態における画面上下方向に平行な断面での断面の一部を拡大して示し、図２（ｂ）は、図２（ａ）に示す断面の単位レンズ１１１をさらに拡大して示している。図２（ｃ）は、反射スクリーン１０のレンズ層１１を裏面側から観察した様子を示している。なお、図２では、理解を容易にするために、支持板５０等は適宜省略して示してある。
反射スクリーン１０は、図２（ａ）に示すように、その映像源２０側（観察面側）から順に、表面機能層１４、基材層１３、レンズ層１１、反射層１２等を備えている。
【００１９】
基材層１３は、この反射スクリーン１０の基材となる透明又は半透明のシート状の部材である。基材層１３の映像源側（観察面側）には、表面機能層１４が一体に形成され、背面側（裏面側）には、レンズ層１１が一体に形成されている。
この基材層１３としては、例えば、厚さが１００〜２００μｍであるＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂等の樹脂製のシート状部材を用いることができる。本実施形態の基材層１３は、厚さ１００μｍのＰＥＴ樹脂製のシート状の部材を用いている。
なお、基材層１３は、所定の透過率とするためのグレー等の染料や顔料等を含有し、着色が施されている形態としてもよい。また、基材層１３は、視野角を広げる観点等から、光拡散材等を含有していてもよい。さらに、基材層１３は、光拡散材及び顔料等を含有する形態としてもよい。加えて、基材層１３は、単層ではなく、２層又は３層等、複数の層が一体に積層された形態としてもよい。
【００２０】
レンズ層１１は、基材層１３の背面側（裏面側）に設けられた光透過性を有する層であり、その背面側（基材層１３とは反対側）の面には、サーキュラーフレネルレンズ形状が形成されている。
レンズ層１１のサーキュラーフレネルレンズ形状は、反射スクリーン１０外に位置する点１１ａを中心としてスクリーン面に沿って複数の単位レンズ１１１が同心円状に配列されている。即ち、レンズ層１１のサーキュラーフレネルレンズ形状は、その点１１ａを光学的な中心（フレネルセンター）とする、所謂オフセット構造のサーキュラーフレネルレンズ形状である。そのため、図２（ｃ）に示すように、レンズ層１１をスクリーン面の法線方向背面側から見たときに、真円の一部形状（円弧）の単位レンズ１１１が複数配列されているように観察される。なお、これに限らず、例えば楕円に近い形状等の一部形状の単位レンズ１１１が複数配列されている形態としてもよい。
【００２１】
本実施形態のレンズ層１１は、ウレタンアクリレートやエポキシアクリレート等の紫外線硬化型樹脂により形成されている。このレンズ層１１は、基材層１３の他方の面を、紫外線硬化型樹脂が充填されたサーキュラーフレネルレンズ形状を賦形する成形型に押圧し、紫外線を照射して硬化させた後に成形型を離型する紫外線成形法等により作成される。レンズ層１１（単位レンズ１１１）を紫外線成形法により形成することにより、よりピッチの細かく、かつ、形状精度の高い単位レンズ１１１を形成することができる。
なお、レンズ層１１の形成方法は、適宜選択してよく、この限りではない。また、レンズ層１１は、電子線硬化型樹脂等の他の電離放射線硬化型樹脂により形成してもよい。
【００２２】
単位レンズ１１１は、図２（ａ），（ｂ）に示すように、スクリーン面に直交する方向（反射スクリーン１０の厚み方向）に平行であって単位レンズ１１１の配列方向（本実施形態では、反射スクリーン１０の画面上下方向）に平行な断面における断面形状が、略三角形形状であり、頂点ｔと、フレネルレンズ形状のレンズ面であるレンズ面１１１ａと、頂点ｔを挟んでレンズ面１１１ａと対向する非レンズ面１１１ｂとを有している。レンズ面１１１ａは、背面側に凸となる凸レンズのレンズ面の一部に相当する。
この単位レンズ１１１は、反射スクリーン１０の使用状態において、レンズ面１１１ａが頂点ｔを挟んで非レンズ面１１１ｂよりも鉛直方向上側に位置している。
【００２３】
図２（ｂ）に示すように、レンズ面１１１ａがスクリーン面に平行な面となす角度は、角度αであり、非レンズ面１１１ｂがスクリーン面に平行な面となす角度は、角度β（β＞α）である。また、単位レンズ１１１は、配列ピッチがＰ、レンズ高さ（反射スクリーン１０の厚み方向における単位レンズ１１１間の谷底となる点ｖから頂点ｔまでの寸法）がｈである。
本実施形態の単位レンズ１１１は、フレネルセンターとなる点１１ａからの位置に依らず配列ピッチＰが等しく角度α及びレンズ高さｈが配列方向に沿って変化する例を示したが、これに限らず、例えば、単位レンズ１１１の高さｈが一定であり、配列ピッチＰや角度αが変化する形態としてもよい。
【００２４】
単位レンズ１１１の配列ピッチＰや角度α等は、映像光Ｌを投射する映像源２０（プロジェクタ）の画素（ピクセル）の大きさや、映像源２０の映像光Ｌの投射角度（又は、スクリーン面に対する映像光の入射角度）や、単位レンズ１１１（レンズ層１１）や基材層１３の屈折率等に応じて、適宜変更可能である。
本実施形態では、一例として、配列ピッチＰは１００μｍであり、角度αは、配列方向に沿って点１１ａから離れるにつれてしだいに大きくなっており（反射スクリーン１０の画面左右方向の中央下端で約７°、画面左右方向の中央上端で約２３°）、角度βは、９０°である。また、本実施形態の単位レンズ１１１（レンズ層１１）は、アクリル系紫外線硬化型樹脂製であり、その屈折率は、１．５５である。
【００２５】
反射層１２は、光を反射する作用を有し、レンズ層１１の背面側であって少なくともレンズ面１１１ａ上に形成される層である。本実施形態のレンズ面１１１ａ及び非レンズ面１１１ｂには、反射層１２が形成されているので、レンズ面１１１ａ及び非レンズ面１１１ｂに入射する光は反射層１２によって反射される。
この反射層１２は、白色又は銀色系の塗料や、白色又は銀色系の顔料やビーズ等を含有する紫外線硬化型樹脂又は熱硬化性樹脂、銀やアルミニウム等の金属蒸着膜、金属箔等である。反射層１２の形成方法は、塗料等を用いる場合にはスプレーコート等の各種塗布方法を選択でき、また、蒸着膜の場合は、蒸着法等により形成される。
反射層１２は、明るい映像を表示するために、その反射率が４０％以上とすることが好ましく、７０％以上とすることがさらに好ましい。
本実施形態の反射層１２は、アルミニウム等の金属箔を含有した銀色系の塗料を、レンズ層１１の単位レンズ１１１が形成されている面上にスプレー塗布することにより形成されている。
なお、本実施形態の反射層１２は、レンズ面１１１ａ及び非レンズ面１１１ｂからなる単位レンズ１１１の凹凸形状に沿って所定の厚さで形成される例を示したが、これに限らず、例えば、単位レンズ１１１間の谷部を充填する形態としてもよいし、十分な反射性を有しているならばその膜厚が均一でなくともよい。
【００２６】
表面機能層１４は、基材層１３の観察者Ｏ側（映像源側）に設けられる層である。
表面機能層１４には、反射防止機能や防眩機能、紫外線吸収機能、防汚機能や帯電防止機能、ハードコート機能等、適宜必要な機能を１つ又は複数選択して設けることができる。
表面機能層１４は、基材層１３とは別層であって不図示の粘着材等により基材層１３に接合される形態としてもよいし、基材層１３のレンズ層１１とは反対側の面に直接形成してもよい。
本実施形態の表面機能層１４は、防眩機能及びハードコート機能（耐スクラッチ機能）を有しており、基材層１３の観察者Ｏ側の表面に、ハードコート機能を有する電離放射線硬化型樹脂（例えば、ウレタンアクリレート等）を膜厚１０〜１００μｍ程度で塗布し、微細な凹凸形状（マット形状）をその樹脂膜表面に転写する等して硬化させ、表面に微細凹凸形状が賦形されて形成されている。
【００２７】
ここで、本実施形態の反射スクリーン１０へ入射する映像光及び外光の様子を説明する。
図２（ａ）に示すように、映像源２０から投影された映像光Ｌ１は、反射スクリーン１０の下方から入射し、表面機能層１４及び基材層１３を透過してレンズ層１１の単位レンズ１１１へ入射する。
そして、図２（ａ）に示すように、映像光Ｌ１は、レンズ面１１１ａへ入射して反射層１２によって反射され、観察者Ｏ側の集光点Ｆへ向かって反射スクリーン１０から出射する。なお、非レンズ面１１１ｂにも反射層１２が形成されているが、角度βは、反射スクリーン１０の画面上下方向の各点における映像光Ｌ１の入射角度よりも大きく（望ましくは９０°）、かつ、映像光Ｌ１が反射スクリーン１０の下方から投射されるため、映像光Ｌ１の反射には影響しない。
一方、照明光等の不要な外光Ｇ１は、主として反射スクリーン１０の上方から入射し、表面機能層１４及び基材層１３を透過してレンズ層１１の単位レンズ１１１へ入射する。そして、図２（ａ）に示すように、外光Ｇ１は、レンズ面１１１ａで反射して、主として反射スクリーン１０の下方側へ向かうので、観察者Ｏ側には直接届かず、また、届いた場合にもその光量は、映像光に比べて大幅に少ない。従って、反射スクリーン１０では、外光による映像のコントラスト低下を低減できる。
【００２８】
よって、本実施形態の反射スクリーン１０によれば、映像光は、レンズ面１１１ａに形成された反射層１２によって効率よく観察者Ｏ側へ反射でき、かつ、外光は、観察者Ｏ側とは異なる方向へ反射されるので、明室環境下であっても、明るく、コントラストの高い良好な映像を表示できる。
【００２９】
本実施形態のレンズ層１１のサーキュラーフレネルレンズ形状について、以下に詳細に説明する。
図３は、本実施形態の反射スクリーン１０及び映像表示システム１の各部の位置を説明する図である。図３（ａ）は、スクリーン面の法線方向から反射スクリーン１０を観察した様子を示し、図３（ｂ）は、反射スクリーン１０の画面上下方向に平行かつスクリーン面に直交する断面での各部の位置を示している。なお、図３では、理解を容易にするために、反射スクリーン１０及び映像表示システム１は、簡略化して示している。
図３（ａ）に示すように、反射スクリーン１０をスクリーン面（観察面）の法線方向から観察した場合に、映像源２０の映像光の投射口の位置する点２０ａと、この反射スクリーン１０の画面の幾何学的中心となる点１０ａと、レンズ層１１のサーキュラーフレネルレンズ形状の光学的中心となる点１１ａとは、一直線上に位置している。
【００３０】
ここで、平面Ｍを想定する。この平面Ｍは、反射スクリーン１０全体を見たときの平面となるスクリーン面と平行な平面であり、反射スクリーン１０の画面に平行な面である。点１０ａ，点２０ａ，点１１ａから平面Ｍ上に下ろした垂線と平面Ｍとの交点を、それぞれ点Ｃ，点Ａ，点Ｂとし、点Ｃ及び点Ａを通る直線を直線Ｔとする。また、反射スクリーン１０のスクリーン面の法線方向からみて、直線Ｔを反射スクリーン１０の画面上に投影した直線と反射スクリーン１０の画面の映像源２０側の辺との交点を点１０ｂとする。点１０ｂは、反射スクリーン１０の画面下端の画面左右方向中央に位置する。そして、この点１０ｂから平面Ｍ上に下ろした垂線と平面Ｍとの交点を点Ｄとする。この点Ｄは、反射スクリーン１０の画面の映像源２０側（点Ａ側）の辺上に、直線Ｔから下ろした垂線と直線Ｔとの交点である。
【００３１】
このとき、点Ｂは、点Ｃ及び点Ａを通る直線Ｔ上であって、点Ｄと点Ａとの間に位置する。従って、直線Ｔ上における点Ｃ及び点Ｄ間の寸法をＳ１、点Ｃ及び点Ｂ間の寸法をＳ２、点Ｃ及び点Ａ間の寸法をＳ３とするとき、この寸法Ｓ１〜Ｓ３は、Ｓ１＜Ｓ２＜Ｓ３という関係を満たしている。
本実施形態では、１．３２×Ｓ１≦Ｓ３≦１．３８×Ｓ１、Ｓ２＝１．２×Ｓ１であり、寸法Ｓ１，Ｓ２，Ｓ３は、Ｓ１＜Ｓ２＜Ｓ３を満たしている。
【００３２】
ここで、本実施形態の実施例や比較例に相当する４つの測定例（比較例１〜３及び実施例１）の反射スクリーンを用いて、反射スクリーンの画面内の輝度分布の均一性をシミュレーションにより評価した。
実施例１の反射スクリーンは、本実施形態の反射スクリーン１０の実施例に相当する反射スクリーンであり、画面サイズが約８０インチ（９９６ｍｍ×１７７１ｍｍ）である。
この実施例１の反射スクリーンでは、平面Ｍ上における点Ａ，Ｂ，Ｄと点Ｃとの間の寸法Ｓ１〜Ｓ３は、Ｓ１＜Ｓ２＜Ｓ３であり、Ｓ２＝１．２×Ｓ１、Ｓ３＝１．３２×Ｓ１である。
また、スクリーン面の法線方向からみて、画面上下方向における反射スクリーン１０の画面の下端から映像源２０の投射口となる点２０ａまでの距離Ｓ４（Ｓ４＝Ｓ３−Ｓ１、図３（ａ）参照）が１５９．４ｍｍ、スクリーン面の法線方向における反射スクリーン１０の観察面側表面から映像源２０の投射口となる点２０ａまでの距離Ｓ５（図３（ｂ）参照）が２６０ｍｍとなる位置に映像源２０を配置し、その映像源２０から投射された映像光を、画面中心線上（画面上辺中点と画面下辺中点を結ぶ線上）に位置し反射スクリーン１０の画面の幾何学的な中心となる点１０ａを通り、スクリーン面（平面Ｍ）に直交する直線Ｈの観察者Ｏ側に３ｍの位置にある集光点Ｆへ向けて反射することを想定している。
さらに、実施例１の反射スクリーン１０では、単位レンズ１１１の配列ピッチＰが１００μｍ、角度βが９０°、レンズ層１１は、アクリル系紫外線硬化型樹脂製であり、その屈折率は、１．５５であり、基材層１３は、ＰＥＴ樹脂製であり、その厚さが１００μｍである。
【００３３】
比較例２，３の反射スクリーンは、フレネルセンターとなる点１１ａの位置（即ち、平面Ｍ上の点Ｂの位置）が実施例１の反射スクリーンとはそれぞれ異なる点以外は、実施例１の反射スクリーンと略同様の形態である。
比較例２の反射スクリーンの寸法Ｓ１〜Ｓ３は、Ｓ１＜Ｓ２＝Ｓ３であり、Ｓ２＝Ｓ３＝１．３２×Ｓ１である。
比較例３の反射スクリーンの寸法Ｓ１〜Ｓ３は、Ｓ１＝Ｓ２＜Ｓ３であり、Ｓ１＝Ｓ２、Ｓ３＝１．３２×Ｓ１である。
比較例１の反射スクリーンは、フレネルセンターとなる点１１ａの位置（即ち、平面Ｍ上の点Ｂの位置）に加えて、サーキュラーフレネルレンズの集光点が無限遠である点（即ち、反射された映像光は画面上下方向及び画面左右方向においてスクリーン面の法線方向へ略平行光となって出射する点）が実施例１とは異なっている。比較例１の反射スクリーンにおいて、点Ａ〜Ｃの位置関係は、寸法Ｓ１＜Ｓ２＝Ｓ３であり、Ｓ２＝Ｓ３＝１．３２×Ｓ１である。
【００３４】
（画面内の輝度分布の均一性）
まず、これらの実施例１及び比較例１〜３の反射スクリーンに対して、Ｓ３＝１．３２×Ｓ１を満たす位置に投射口となる点２０ａを有するように設けられた映像源２０から映像光を投射し、集光点Ｆ（反射スクリーンのスクリーン面の法線方向であり、映像源側表面から３ｍの位置）から各反射スクリーンを観察した場合の画面内での輝度の分布を、シミュレーションにより調べた。
【００３５】
図４は、実施例１及び比較例１〜３の反射スクリーンの相対輝度について説明する図である。
図４（ａ）は、反射スクリーン１０の画面上の輝度の測定点（点Ｅ１〜Ｅ６）を示しており、反射スクリーン１０のスクリーン面（画面）の法線方向から観察した様子を示している。この測定Ｅ１〜Ｅ３は、いずれも反射スクリーン１０の画面の画面左右方向中央に位置し、画面上下方向においては、点Ｅ１は画面上端、点Ｅ２は画面中央、点Ｅ３は画面下端に位置している。点Ｅ２は、画面の幾何学的中心である点１０ａであり、点Ｅ３は点１０ｂである。また、点Ｅ４〜Ｅ６は、いずれも観察者Ｏから見て、画面の画面左右方向左端に位置し、画面上下方向においては、点Ｅ４は画面上端、点Ｅ５は画面中央、点Ｅ６は画面下端に位置している。
図４（ｂ）は、各測定点での輝度を示し、図４（ｂ）の縦軸は、相対輝度であり、測定点Ｅ２（点１０ａ）での輝度を基準（１．０）としている。
【００３６】
図４（ｂ）に示すように、実施例１及び比較例１〜３の反射スクリーンにおいて、測定点Ｅ１〜Ｅ３での輝度の上下する傾向は、略同様である。また、実施例１及び比較例１〜３の反射スクリーンは、いずれも、測定点Ｅ１〜Ｅ３の輝度に比べて、測定点Ｅ４〜Ｅ６での輝度が低下する傾向を有している。
比較例１，２の反射スクリーンでは、実施例１及び比較例３の反射スクリーンに比べて、測定点Ｅ４〜Ｅ６の輝度が大きく低下している。
比較例１の反射スクリーンでは、測定点Ｅ４〜Ｅ６（特に点Ｅ４）での輝度の低下が大きい。従って、比較例１の反射スクリーンでは、画面左右方向両端での輝度の低下が大きく、画面内での輝度分布の均一性が大きく低下しており、輝度ムラが著しい。これは、比較例１の反射スクリーンでは、反射した映像光の集光点が無限遠となるため、画面の周縁部で反射された光が観察者Ｏに届く光量が大幅に減るためであると考えられる。
【００３７】
また、比較例２の反射スクリーンでは、比較例１の反射スクリーンに比べて測定点Ｅ４〜Ｅ６での輝度は改善されている。これは、比較例２の反射スクリーンは、反射した映像光の集光点Ｆを有し、この点Ｆの位置が測定時の観察者Ｏの位置に一致しているため、比較例１の反射スクリーンに比べて、画面の周縁部で反射された光が観察者Ｏに届く光量が増えるからであると考えられる。しかし、比較例１の反射スクリーンに比べて改善はされているが、測定点Ｅ６（画面下方左端）での輝度が低下している。従って、比較例２の反射スクリーンでは、画面左右方向両端での輝度の低下に加えて、さらに画面下方両端での輝度が低下しており、輝度分布の均一性が低く、輝度ムラが大きい。
【００３８】
これに対して、実施例１及び比較例３の反射スクリーンでは、測定点Ｅ４〜Ｅ６での輝度は、いずれも相対輝度が０．６以上であり、画面左右方向両端部での輝度の低下は改善されている。また、測定点Ｅ４や測定点Ｅ６での輝度の低下も生じていない。従って、実施例１及び比較例３の反射スクリーンでは、画面の周縁部における輝度の低下が改善されおり、画面内の輝度分布の均一性が向上し、輝度ムラが低減されている。
従って、以上の結果から、画面内の輝度の均一性の向上の観点では、反射スクリーンは、観察者Ｏが位置すると想定される位置又は（観察者が最適視聴位置から移動することを考慮すると）その位置よりも反射スクリーンから離れた点に集光点Ｆを有することが好ましく、また、寸法Ｓ２，Ｓ３は、Ｓ２＜Ｓ３であることが好ましい。本実施形態では、観察者Ｏが位置すると想定される点に集光点Ｆを有しており、また、Ｓ２＜Ｓ３であるので、この好ましい条件を満たしている。
【００３９】
（フレネルセンターによる輝度ムラ）
図５は、実施例１及び比較例１〜３の反射スクリーンの画面下端における単位レンズ１１１の角度αの変化の様子を示している。この図５の縦軸は、角度αであり、横軸は、画面下端において、画面左右方向中央となる点１０ｂを０とし、その点１０ｂからの距離ｘを示している。ここで、この距離ｘの負の方向は、観察者Ｏから見て左側であり、正の方向は、観察者Ｏから見て右側である。
図５に示すように実施例１及び比較例１〜３の反射スクリーンでは、いずれも画面下端において、画面左右方向両端部の角度αが大きく、画面左右方向中央の点１０ｂに向かうにつれて角度αが小さくなる傾向を有している。
【００４０】
実施例１及び比較例１，２の反射スクリーンでは、ｘ＝０（点１０ｂ）付近での角度αが滑らかな曲線を描いて変化しているが、比較例３の反射スクリーンでは、ｘ＝０（点１０ｂ）付近での角度αの変化が急峻となっており、ｘ＝０において不連続に変化している。これは、比較例３の反射スクリーンでは、Ｓ１＝Ｓ２であり、平面Ｍ上で点Ｄと点Ｂとが一致している（スクリーン面の法線方向から見て、点１０ｂとフレネルセンターとなる点１１ａが一致している）ことに起因している。このように、角度αが不連続に変化する場合、不連続な変化を生じる点（フレネルセンターとなる点１１ａ）近傍では、局所的に暗い部分や明るい部分が発生するという局所的な輝度ムラが発生する。
【００４１】
また、仮に、Ｓ１＞Ｓ２であり、反射スクリーンの画面内にフレネルセンターとなる点が存在する場合、そのフレネルセンターとなる点よりも映像源２０側（画面上下方向下側）に位置する単位レンズ１１１は、フレネルセンターとなる点よりも画面上下方向上側に位置する単位レンズ１１１とはレンズ面１１１ａの傾きが逆になる。そのため、好ましい方向に映像光Ｌを反射することできず、局所的な輝度ムラが発生する。そのため、このような反射スクリーンでは、局所的な輝度ムラがより顕著になる。
従って、フレネルセンターとなる点近傍での上述のような局所的な輝度ムラを防止するという観点から、寸法Ｓ１，Ｓ２は、Ｓ１＜Ｓ２であることが好ましい。本実施形態では、Ｓ１＜Ｓ２であるので、この好ましい条件を満たしている。
実施例１及び比較例１，２の反射スクリーンは、フレネルセンターとなる点１１ａが、反射スクリーンの画面外に位置しており、図５に示すように、画面下端での角度αの変化は滑らかに連続的に変化しているので、上述のような局所的な輝度ムラ等の発生を防止でき、輝度ムラを大幅に向上できる。
【００４２】
以上のことから、画面内の輝度分布の均一性を高め、局所的な輝度ムラを防止し、画面内の輝度ムラを大幅に低減するという観点から、寸法Ｓ１〜Ｓ３は、Ｓ１＜Ｓ２＜Ｓ３であることが好ましい。
実施例１の反射スクリーンでは、Ｓ２＝１．２×Ｓ１かつＳ３＝１．３２×Ｓ１であり、Ｓ１＜Ｓ２＜Ｓ３という関係を満たしているので、上述の好ましい範囲を満たしている。従って、実施例の反射スクリーンは、画面内の輝度分布の均一性が高く、輝度ムラを大幅に改善できる。
【００４３】
（最大切削半径）
図６は、サーキュラーフレネルレンズ形状を賦形する成形型の最大切削半径を説明する図である。
サーキュラーフレネルレンズ形状を賦形する成形型は、例えば、以下のような製造方法で作成される。まず、図６に示すような円盤状のテーブル１００に、円盤状等の成形型の２００を配置し、このテーブル１００の中心１００ａと成形型２００の中心２００ａを一致させて固定する。そして、中心１００ａ及び中心２００ａを通る軸を回転軸として回転させながら、成形型２００に所定の形状のバイトを当てて周方向に切削することにより１つの単位レンズ１１１を賦形する凹型が形成される。そして、このバイトを径方向に移動させながら切削を繰り返すことにより、円盤状の成形型２００にサーキュラーフレネルレンズ形状を賦形する型形状が形成される。次に、この円盤状の成形型２００を所定のスクリーンサイズに応じた大きさで矩形状に切断することにより、レンズ層１１の賦形に使用される型が形成される。なお、この成形型２００は、図６では円盤状である例を示したが、こに限らず、矩形状の略平板状の成形型を用いてもよい。
図６には、同一の成形型２００から、実施例１のレンズ層１１を賦形する型２１０Ａ及び比較例２のレンズ層を賦形する型２１０Ｂを裁断する場合の型の裁断位置を示している。
【００４４】
実施例１及び比較例２の反射スクリーンでは、画面サイズが対角８０インチであり、画面サイズは共通しているが、寸法Ｓ２，Ｓ３に関して、実施例１の反射スクリーンは、Ｓ２＜Ｓ３であり、比較例２の反射スクリーンは、Ｓ２＝Ｓ３である。従って、実施例１の反射スクリーンの方が、比較例２の反射スクリーンに比べて、レンズ層１１のサーキュラーフレネルレンズ形状のオフセット量（光学的中心（フレネルセンター）となる点１１ａからのずれ量）が小さい。
そのため、図６に示すように、実施例１の反射スクリーンのレンズ層１１を賦形する型２１０Ａの最大切削半径Ｒａに比べて、比較例２の反射スクリーンのレンズ層を賦形する型２１０Ｂの最大切削半径Ｒｂの方が大きく、Ｒａ＝１４０９ｍｍ、Ｒｂ＝１４５６ｍｍである。
また、サーキュラーフレネルレンズ形状の光学的な中心１１ａからのオフセット量が大きく、Ｓ２≧Ｓ３となるような反射スクリーンでは、その画面の大きさによっては、図６に示すように、反射スクリーンの画面上端の画面左右方向端部が成形型２００の外部に位置する形となり、加工が困難となる場合がある。
従って、寸法Ｓ２，Ｓ３に関して、本実施形態のように、Ｓ２＜Ｓ３を満たす反射スクリーンとすることにより、Ｓ２＝Ｓ３となる一般的なオフセット構造の反射スクリーンに比べて、成形型の最大切削半径を小さくすることができる。これにより、成形型の加工時間及び作成コストを低減でき、反射スクリーンを安価に提供できる。また、大型の切削加工機の導入が不要となり、設備費用も低減できる。
【００４５】
以上のことから、本実施形態によれば、寸法Ｓ１〜Ｓ３が、Ｓ１＜Ｓ２＜Ｓ３という関係を満たしており、上述の好ましい範囲を満たしているので、反射スクリーン１０及び映像表示システム１は、画面内の輝度分布の均一性が高く、局所的な輝度ムラもない良好な映像を表示できる。
また、本実施形態によれば、映像光Ｌを観察者Ｏへ向けて効率よく反射することができ、照明光等の上方から入射する不要な外光が主として反射スクリーン１０の下方へ反射されるので、明室環境下においても、外光によるコントラストの低下を大幅に低減し、かつ、明るい映像を表示することができる。
さらに、本実施形態によれば、レンズ層１１のサーキュラーフレネルレンズ形状を賦形するための賦形型を作成する際に、単位レンズ１１１の形状を賦形する凹状の型を切削する最大切削半径を低減でき、安価にかつ容易に賦形型製造を行うことができ、反射スクリーンの精算コストを低減できる。
【００４６】
（変形形態）
以上説明した実施形態に限定されることなく、種々の変形や変更が可能であって、それらも本発明の範囲内である。
（１）本実施形態において、非レンズ面１１１ｂは、反射層１２が形成される例を示したが、これに限らず、例えば、非レンズ面１１１ｂ等に光を吸収する作用を有する黒色塗料等を塗布する等により、光吸収層を形成してもよい。このような光吸収層を形成することにより、反射スクリーン１０の上方から主として入射する外光や反射スクリーン１０内部で発生した迷光を光吸収層により吸収することができ、コントラストの向上効果を高めることができる。
なお、このような光吸収層は、非レンズ面１１１ｂに限らず、レンズ面１１１ａの頂点ｔ近傍等の映像光の反射に寄与しない領域等にも形成してもよい。
【００４７】
（２）本実施形態において、反射スクリーン１０は、基材層１３、レンズ層１１、反射層１２、表面機能層１４等を備える例を示したが、これに限らず、例えば、光を拡散させる拡散材を含有した光拡散層や、反射スクリーンの剛性を高め、平面性を維持するためのガラス製や樹脂製の基板層や、コントラストを向上させる着色層、紫外線吸収作用を有する紫外線吸収層、タッチパネル層等をさらに備えた形態としてもよい。また、反射スクリーンの厚み方向において、これらの層を設ける位置に関しては、適宜設定してよい。
【００４８】
（３）本実施形態において、反射スクリーン１０は、その背面側に設けられた支持板５０に不図示の粘着材層等を介して接合されており、略平板状である例を示したが、これに限らず、例えば、支持板５０を備えず、反射スクリーン１０が粘着材層等を介して不図示の壁面等に接合される形態としてもよいし、支持板５０を裏面に接合した状態で壁面に固定されたり、フック等の支持部材で壁面に吊り下げされる形態等としてもよい。
また、本実施形態において、反射スクリーン１０は、使用時及び不使用時には略平板状である例を示したが、これに限らず、不使用時には巻き取って保管できる巻き取り可能な形態としてもよい。このような形態の場合には、支持板５０等を設けず、反射スクリーン１０の背面側を、光を透過しにくい布製又は樹脂製の遮光幕や耐傷性を向上させる保護層等で被覆する形態とすれば、コントラスト向上や、レンズ層や反射層の破損の防止を図ることができる。
【００４９】
（４）本実施形態において、単位レンズ１１１は、図２（ａ）に示すように、単位レンズ１１１の配列方向に平行であってスクリーン面に直交する断面において、レンズ面１１１ａ及び非レンズ面１１１ｂが直線状となる例を示したが、これに限らず、上述の断面において、例えば、レンズ面１１１ａや非レンズ面１１１ｂの一部が曲線状となっていてもよい。
また、本実施形態において、単位レンズ１１１のレンズ面１１１ａ及び非レンズ面１１１ｂは、いずれも１つの面である例を示したが、これに限らず、例えば、少なくとも一方の面が、複数の面から構成される形態としてもよい。
【００５０】
（５）本実施形態において、レンズ層１１が基材層１３の片面に紫外線成形により一体に形成される例を示したが、これに限らず、例えば、押し出し成形や射出成形等によりレンズ層を形成してもよい。このとき、レンズ層１１に十分な厚みがあれば、基材層１３を備えない形態としてもよい。また、押し出し成形の場合には、レンズ層１１と基材層１３と一体に積層した状態で押し出し成形してもよい。このような形態とすることにより、大量生産がさらに容易になり、安価に提供できる。
【００５１】
（６）本実施形態において、映像源２０は、鉛直方向において反射スクリーン１０より下方に位置し、映像光の主たる入射方向は、反射スクリーン１０の下方からである例を示したが、これに限らず、例えば、映像源２０が、鉛直方向において反射スクリーン１０より上方に位置し映像光の主たる入射方向が画面上方側からとしてもよい。このとき、反射スクリーン１０は、図２等に示すレンズ層１１のサーキュラーフレネルレンズ形状を上下反転させた形態とすればよい。
【００５２】
（７）本実施形態において、反射スクリーン１０と映像源２０とを備える一般的な映像表示システム１を示したが、これに限らず、例えば、さらに、パーソナルコンピュータ等の制御部や、使用者が触れた反射スクリーン１０の画面上の位置を検出する位置検出装置を備え、位置検出装置及び映像源をパーソナルコンピュータ等の制御部と通信可能としたインタラクティブボードシステムとしてもよい。このような形態とすれば、例えば、使用者が反射スクリーン１０の画面上にタッチペンや指等により描画した文字や図形等の情報を、投影画像と組み合わせ、図形や文字等が投影画像上に描かれたように表示したり、それらの情報を含む投影画像等をデータ化して保存したりすることができる。
また、反射スクリーン１０は、一般的なホワイトボード等のように、マーカー等の所定の筆記具を用いてその表面（観察面）に手書きで文字や図形等の情報を描画したり、描画した文字等を消去したりすることができる形態としてもよい。
【００５３】
なお、本実施形態及び変形形態は、適宜組み合わせて用いることもできるが、詳細な説明は省略する。また、本発明は以上説明した実施形態によって限定されることはない。
【符号の説明】
【００５４】
１    映像表示システム
１０    反射スクリーン
１１    レンズ層
１１１    単位レンズ
１１１ａ    レンズ面
１１１ｂ    非レンズ面
１２    反射層
１３    基材層
１４    表面機能層
２０    映像源
【図１】
2012252057.tif 000003
【図２】
2012252057.tif 000004
【図３】
2012252057.tif 000005
【図４】
2012252057.tif 000006
【図５】
2012252057.tif 000007
【図６】
2012252057.tif 000008